(57)【要約】【課題】或る組の送受信器の一方が他の組の二つの送受信器の近傍で使用されてそれらの二つの送信信号が入力されても妨害を受けないようにする。【解決手段】送信信号を出力する送信回路３と、送信信号とは周波数が異なる受信信号を受信する受信回路４とを備え、受信回路４は受信信号を最初に中間周波信号に周波数変換する混合器４ｄを有し、受信回路４における混合器４ｄの前段側に送信回路３から出力される送信信号を減衰するトラップ回路４ｃを設け、自身の送信信号が受信回路４に入力されないようにした。【選択図】　　　　図１
2004040561.tif 000002
【特許請求の範囲】
【請求項１】
送信信号を出力する送信回路と、前記送信信号とは周波数が異なる受信信号を受信する受信回路とを備え、前記受信回路は前記受信信号を最初に中間周波信号に周波数変換する混合器を有し、前記受信回路における前記混合器の前段側に前記送信回路から出力される前記送信信号を減衰するトラップ回路を設けたことを特徴とする送受信器。
【請求項２】
前記送信信号が出力されると共に前記受信信号が入力される入出力端と、前記送信回路と前記受信回路とを前記入出力端に結合するデュプレクサとを有し、前記デュプレクサと前記混合器との間に前記トラップ回路を設けたことを特徴とする請求項１に記載の送受信器。
【請求項３】
前記デュプレクサと前記混合器との間に前記受信信号を増幅する高周波増幅器を設け、前記高周波増幅器と前記混合器との間に前記トラップ回路を設けたことを特徴とする請求項２に記載の送受信器。
【請求項４】
前記トラップ回路によって減衰する前記送信信号の周波数をほぼ３８１ＭＨｚとしたことを特徴とする請求項２又は３に記載の送受信器。
【請求項５】
前記トラップ回路によって減衰する前記送信信号の周波数をほぼ２５４ＭＨｚとしたことを特徴とする請求項２又は３に記載の送受信器。
【発明の詳細な説明】
【０００１】
【発明の属する技術分野】
本発明は、コードレス電話の親機と子機等に使用され、送信周波数と受信周波数とが異なって相手と同時送受信が可能な送受信器に関する。
【０００２】
【従来の技術】
従来の送受信器の構成を図３によって説明する。図３はコードレス電話の親機に使用される送受信器の構成例である。デュプレクサ１１は入出力端１１ａと入力端１１ｂと出力端１１ｃとを備えており、入出力端１１ａにはアンテナ１２が接続され、入力端１１ｂには送信回路１３が接続され、出力端１１ｃには受信回路１４が接続される。
【０００３】
送信回路１３における第一の電圧制御発振器１３ａは３８０．２１２５ＭＨｚから３８１．３１２５ＭＨｚまでの範囲を１２．５ＫＨｚステップで発振可能となっており（一般式は（３８０．２１２５＋０．０１２５×Ｎ）ＭＨｚ、ここで、ＮはチャンネルＮｏ．であり０〜８８までの整数）、変調信号Ｍが入力されて送信信号を出力する。送信信号はパワーアンプ１３ｂによって必要なレベルまで増幅され、フィルタ（バンドパスフィルタ等）１３ｃを介してデュプレクサ１１に入力される。デュプレクサ１１は入力端１１ｂと入出力端１１ａとの間が送信信号が通過するように構成されているので、送信信号はアンテナ１２に出力される。
【０００４】
受信回路１４のバンドパスフィルタ１４ａにはアンテナ１２で受信され、デュプレクサ１１の出力端１１ｃから出力された受信信号が入力される。受信信号は子機から送信されるものであり、その周波数は２５３．８６２５ＭＨｚから２５４．９６２５ＭＨｚまでの範囲の１２．５ＫＨｚステップのいずれかとなる。一般式で表せば、（２５３．８６２５＋０．０１２５×Ｎ）ＭＨｚである。次いで高周波増幅器１４ｂによって増幅され次の第一混合器１４ｃに入力される。第一混合器１４ｃには第二の電圧制御発振器１４ｄから２７５ＭＨｚ近傍の局部発振信号が供給される。正確な周波数は（２７５．１６２５＋０．０１２５×Ｎ）ＭＨｚである。従って、第二の電圧制御発振器１４ｄも１２．５ＫＨｚステップで発振する。そして、第一混合器１４ｃは２１．３ＭＨｚの第一中間周波信号を出力する。
【０００５】
送信回路１３の第一の電圧制御発振器１３ａと受信回路１４の第二の電圧制御発振器１４ｄとはＰＬＬ回路１５によって上記の発振周波数の式におけるＮの値が同じとなるように制御される。ＰＬＬ回路１５には基準発振器１６から２１．２５ＭＨｚの基準信号が入力されている。第一混合器１４ｃから出力された第一中間周波信号はバンドパスフィルタ１４ｅを介して第二混合器１４ｆに入力される。第二混合器１４ｆには基準発振器１６から出力された基準信号が局部発振信号として入力されるので、第二混合器１４ｆは５０ＫＨｚの第二中間周波信号を出力する。第二中間周波信号は図示しない検波回路によって検波され、音声信号が抽出される。
【０００６】
なお、送受信器がコードレス電話の子機に使用されるものである場合には、送信信号の周波数と受信信号の周波数とが逆の関係になり、その場合は第一の電圧制御発振器１３ａは（２５３．８６２５＋０．０１２５×Ｎ）ＭＨｚで発振し、第二の電圧制御発振器１４ｄは（３５８．９１２５＋０．０１２５×Ｎ）ＭＨｚで発振する。よって、第一中間周波信号の周波数と第二中間周波信号の周波数とは親機のそれらと同じとなる。
【０００７】
そして、親機、子機ともに二つの電圧制御発振器１３ａ、１４ｃがＰＬＬ回路１５の制御によって同じＮの値で動作し、その結果として発振送信号の周波数と受信信号の周波数との差が常に同じ（１２６．３５ＭＨｚ）となる。また、近接する位置に別の組の送受信器（親機と子機）が存在するときには組同士の干渉を防ぐためにチャンネルＮｏ．のＮの値が組によって互いに異なるように変更される。
【０００８】
【発明が解決しようとする課題】
以上のような送受信器を使用する場合、或る組（Ａ組とする）の送受信器の一方（例えば親機）が他方（子機）と通信している場合、Ａ組の親機の近傍で他の組（Ｂ組とする）の送受信器同士が通信している場合、互いの組の送信周波数及び受信周波数が異なっていても（すなわちチャンネルＮｏ．が異なっていても）Ａ組の親機が受信妨害を受けることがある。以下にその詳細を説明する。
【０００９】
Ｂ組のチャンネルＮｏ．をＭとし、Ａ組のチャンネルＮｏ．をＮとする。すると、Ｂ組の親機の送信周波数は（３８０．２１２５＋０．０１２５×Ｍ）ＭＨｚ、子機の送信周波数は（２５３．８６２５＋０．０１２５×Ｍ）ＭＨｚとなり、Ａ組の親機の送信周波数は（３８０．２１２５＋０．０１２５×Ｎ）ＭＨｚとなる。Ａ組の親機の送信信号はデュプレクサ１１を介してアンテナ１２に出力されるが、デュプレクサ１１における入力端１１ｂと出力端１１ｃとの間のアイソレーションが完全でないと送信信号はデュプレクサ１１を漏洩して受信回路１４に入力される。また、Ｂ組の二つの送信信号もＡ組の親機に入力される。
【００１０】
すると、Ａ組の親機の受信回路１４では上記の３種類の送信信号が高周波臓腑器１４ｂあるいは第一混合器で混合され、次の式によってＡ組の子機からの送信信号と同じ周波数（すなわち、（２５３．８６２５＋０．０１２５×Ｎ）ＭＨｚ）の妨害信号が作られる。
−（３８０．２１２５＋０．０１２５×Ｍ）
＋（２５３．８６２５＋０．０１２５×Ｍ）
＋（３８０．２１２５＋０．０１２５×Ｎ）
＝（２５３．８６２５＋０．０１２５×Ｎ）
【００１１】
Ｂ組の二つの送受信器の近傍にＡ組の子機が置かれた場合も同様にその子機の受信回路ではＡ組の親機からの送信信号と同じ周波数（３８０．２１２５＋０．０１２５×Ｎ）ＭＨｚの妨害信号が作られる。
【００１２】
本発明は、或る組の送受信器の一方が他の組の二つの送受信器の近傍で使用されてそれらの二つの送信信号が入力されても妨害を受けないようにすることを目的とする。
【００１３】
【課題を解決するための手段】
上記課題に対し、本発明では、送信信号を出力する送信回路と、前記送信信号とは周波数が異なる受信信号を受信する受信回路とを備え、前記受信回路は前記受信信号を最初に中間周波信号に周波数変換する混合器を有し、前記受信回路における前記混合器の前段側に前記送信回路から出力される前記送信信号を減衰するトラップ回路を設けた。
【００１４】
また、前記送信信号が出力されると共に前記受信信号が入力される入出力端と、前記送信回路と前記受信回路とを前記入出力端に結合するデュプレクサとを有し、前記デュプレクサと前記混合器との間に前記トラップ回路を設けた。
【００１５】
また、前記デュプレクサと前記混合器との間に前記受信信号を増幅する高周波増幅器を設け、前記高周波増幅器と前記混合器との間に前記トラップ回路を設けた。
【００１６】
また、前記トラップ回路によって減衰する前記送信信号の周波数をほぼ３８１ＭＨｚとした。
【００１７】
また、前記トラップ回路によって減衰する前記送信信号の周波数をほぼ２５４ＭＨｚとした。
【００１８】
【発明の実施の形態】
以下、本発明の送受信器を図１によって説明する。図１はコードレス電話の親機に使用される送受信器の構成例である。デュプレクサ１は入出力端１ａと入力端１ｂと出力端１ｃとを備えている。入出力端１ａにはアンテナ２が接続され、入力端１ｂには送信回路３が接続され、出力端１ｃには受信回路４が接続される。
【００１９】
送信回路３における第一の電圧制御発振器３ａは３８０．２１２５ＭＨｚから３８１．３１２５ＭＨｚまでの範囲を１２．５ＫＨｚステップで発振可能となっており（一般式は（３８０．２１２５＋０．０１２５×Ｎ）ＭＨｚ、ここで、ＮはチャンネルＮｏ．であり０〜８８までの整数）、変調信号Ｍが入力されて送信信号を出力する。送信信号はパワーアンプ３ｂによって必要なレベルまで増幅され、フィルタ（バンドパスフィルタ等）３ｃを介してデュプレクサ１に入力される。デュプレクサ１は入力端１ｂと入出力端１ａとの間が送信信号が通過するように構成されているので、送信信号はアンテナ２に出力される。
【００２０】
受信回路４のバンドパスフィルタ４ａにはアンテナ２で受信され、デュプレクサ１の出力端１ｃから出力された受信信号が入力される。受信信号は子機から送信されるものであり、その周波数は２５３．８６２５ＭＨｚから２５４．９６２５ＭＨｚまでの範囲の１２．５ＫＨｚステップのいずれかとなる。一般式で表せば、（２５３．８６２５＋０．０１２５×Ｎ）ＭＨｚである。次いで高周波増幅器４ｂによって増幅され次のトラップ回路４ｃに入力される。
【００２１】
トラップ回路４ｃは図２に示すように、例えば直列共振回路から構成されて送信回路３から出力される送信信号を減衰するものである。従ってその共振周波数は送信信号の周波数となるおよそ３８１ＭＨｚに合わせられる。なお、トラップ回路４ｃの構成は図２に示す直列共振回路に限らず、バンド消去フィルタや並列共振回路等の種々の構成で実現できる。
この結果、送信回路３から出力された送信信号がデュプレクサ１を漏洩して受信回路４に入力されても、トラップ回路４ｃによって減衰するので次段の第一混合器４ｄにはほとんど入力されない。
【００２２】
トラップ回路４ｃを通過した受信信号は第一混合器４ｄに入力される。第一混合器４ｄには第二の電圧制御発振器４ｅから２７５ＭＨｚ近傍の局部発振信号が供給される。正確には（２７５．１６２５＋０．０１２５×Ｎ）ＭＨｚである。従って、第二の電圧制御発振器４ｅも１２．５ＫＨｚステップで発振する。そして、第一混合器４ｄは２１．３ＭＨｚの第一中間周波信号を出力する。
【００２３】
送信回路３の第一の電圧制御発振器３ａと受信回路４の第二の電圧制御発振器４ｅとはＰＬＬ回路５によって上記の発振周波数の式におけるチャンネルＮｏ．Ｎの値が同じとなるように制御される。ＰＬＬ回路５には基準発振器６から２１．２５ＭＨｚの基準信号が入力されている。第一混合器４ｄから出力された第一中間周波信号はバンドパスフィルタ４ｆを介して第二混合器４ｇに入力される。第二混合器４ｇには基準発振器６から出力された基準信号が局部発振信号として入力されるので、第二混合器４ｇは５０ＫＨｚの第二中間周波信号を出力する。第二中間周波信号は図示しない検波回路によって検波され、音声信号が抽出される。
【００２４】
なお、送受信器がコードレス電話の子機に使用されるものである場合には、送信信号の周波数と受信信号の周波数とが逆の関係になり、その場合は第一の電圧制御発振器３ａは（２５３．８６２５＋０．０１２５×Ｎ）ＭＨｚで発振し、第二の電圧制御発振器４ｅは（３５８．９１２５＋０．０１２５×Ｎ）ＭＨｚで発振する。よって、第一中間周波信号の周波数と第二中間周波信号の周波数とは親機のそれらと同じとなる。
また、この場合はトラップ回路４ｃは子機自身の送信信号となる第一の電圧制御発振器３ａの発振周波数（２５３．８６２５＋０．０１２５×Ｎ）ＭＨｚを減衰するように設定される。
【００２５】
そして、親機、子機ともに二つの電圧制御発振器３ａ、４ｅがＰＬＬ回路５の制御によって同じＮの値で動作し、その結果として発振送信号の周波数と受信信号の周波数との差が常に同じ（１２６．３５ＭＨｚ）となる。また、近接する位置に別の組の送受信器（親機と子機）が存在するときには組同士の干渉を防ぐためにチャンネルＮｏ．のＮの値が組によって互いに異なるように変更される。
【００２６】
以上の構成において、例えば或る特定の組の親機である送受信器の近傍に他のの組の二つの送受信器同士（親機と子機）が通信していた場合、特定組の親機の受信回路には他の組の二つの送信信号（周波数は（３８０．２１２５＋０．０１２５×Ｍ）ＭＨｚと（２５３．８６２５＋０．０１２５×Ｍ）ＭＨｚ）が入力される。しかし、自身の送信信号（周波数は（３８０．２１２５＋０．０１２５×Ｎ）ＭＨｚ）は内部に設けられたトラップ回路４ｃによって受信回路４の混合器４ｄまでは入力されない。よって、他の組の二つの送信信号と自身の送信号との三者によって引き起こされる妨害信号は発生しない。
【００２７】
同様に、特定の組の子機である送受信器の近傍に他のの組の二つの送受信器同士（親機と子機）が通信していた場合、特定組の子機の受信回路には他の組の二つの送信信号（周波数は（３８０．２１２５＋０．０１２５×Ｍ）ＭＨｚと（２５３．８６２５＋０．０１２５×Ｍ）ＭＨｚ）が入力される。しかし、自身の送信信号（周波数は（２５３．８６２５＋０．０１２５×Ｎ）ＭＨｚ）は内部に設けられたトラップ回路４ｃによって受信回路４の混合器４ｄまでは入力されない。他の組の二つの送信信号と自身の送信号との三者によって引き起こされる妨害信号は主に第一混合器４ｄで発生するのでこれが此が防げる。
【００２８】
なお、トラップ回路４ｃは高周波増幅器４ｂと第一混合器４ｄとの間に設けているが、これに限らず高周波増幅器４ｂよりも前段側に設けてもよい。この場合は高周波増幅４ｂと第一混合器４ｃとの２カ所で発生する妨害信号が防げる。
【００２９】
また、以上まではコードレス電話に使用される送受信器の例で説明したが、これに限らず、本発明は二つの異なる周波数を用いて送受信する全二重通信用の送受信器全般に適用できることは言うまでもない。
【００３０】
【発明の効果】
以上説明したように、本発明は送信信号を出力する送信回路と、送信信号とは周波数が異なる受信信号を受信する受信回路とを備え、受信回路は受信信号を最初に中間周波信号に周波数変換する混合器を有し、受信回路における混合器の前段側に送信回路から出力される送信信号を減衰するトラップ回路を設けたので、近傍で使用される他の同種の一対の送受信器からの二つの送信信号が入力されても、受信回路内の混合器で妨害信号を発生することはない。
【００３１】
また、送信信号が出力されると共に受信信号が入力される入出力端と、送信回路と受信回路とを入出力端に結合するデュプレクサとを有し、デュプレクサと混合器との間にトラップ回路を設けたので、自身の送信信号がデュプレクサを漏洩しても混合器には入力されない。
【００３２】
また、デュプレクサと混合器との間に受信信号を増幅する高周波増幅器を設け、高周波増幅器と混合器との間にトラップ回路を設けたので、漏洩した送信信号が高周波増幅器によって増幅されても効果的に減衰できる。
【００３３】
また、トラップ回路によって減衰する送信信号の周波数をほぼ３８１ＭＨｚとしたので、国内のコードレス電話の親機に他のコードレス電話機からの送信信号が入力されても妨害を受けない。
【００３４】
また、トラップ回路によって減衰する送信信号の周波数をほぼ２５４ＭＨｚとしたので、国内のコードレス電話の子機に他のコードレス電話機からの送信信号が入力されても妨害を受けない。
【図面の簡単な説明】
【図１】本発明の送受信器の構成を示す回路図である。
【図２】本発明の送受信器に使用するトラップ回路の構成例を示す回路図である。
【図３】従来の送受信器の構成を示す回路図である。
【符号の説明】
１　デュプレクサ
２　アンテナ
３　送信回路
３ａ　第一の電圧制御発振器
３ｂ　パワーアンプ
３ｃ　フィルタ
４　受信回路
４ａ　バンドパスフィルタ
４ｂ　高周波増幅器
４ｃ　トラップ回路
４ｄ　第一混合器
４ｅ　第二の電圧制御発振器
４ｆ　バンドパスフィルタ
４ｇ　第二混合器
５　ＰＬＬ回路
６　基準発振器
【図１】
2004040561.tif 000003
【図２】
2004040561.tif 000004
【図３】
2004040561.tif 000005